(57)【要約】      （修正有）【課題】小型のノート型のパソコンの形態を模した玩具の操作部を操作することにより、複数の音声を発音させ、表示窓部の部分に複数の表示を行わせるようにして楽しみ、合わせて幼児のパソコンに対する好奇心を満足させたり、パソコンに興味を持たせることができるようにした遊戯玩具を提供する。【解決手段】上面に操作ダイヤルと複数の押ボタンを少なくとも並設して成る第１の筐体１と、同じく上面に表示窓部を設けて成る第２の筐体７と、この第２の筐体と第１の筐体を開閉可能に連結する連結手段９と、電源と、操作ダイヤルにより回転させられる駆動ローラと第２の筐体内に設けられたテンションローラとの間に懸架させたところの表面に印刷した図画を表示する表示シートと、少なくとも複数の押ボタンのＯＮ操作によってさまざまな音声を発音させる回路基板とスピーカーとから成る音声発生手段と、第１及び又は第２の筐体に設けたランプを点灯させる点灯手段とを含めて構成する。【選択図】図２
0003102354.tif 000002
【実用新案登録請求の範囲】
【請求項１】
小型パソコンの形態を模した遊戯玩具であって、上面に操作ダイヤルと複数の押ボタンを少なくとも並設して成る第１の筐体と、同じく上面に表示窓部を設けて成る第２の筐体と、この第２の筐体と前記第１の筐体を開閉可能に連結する連結手段と、電源と、前記第１の筐体内に設けられ前記操作ダイヤルにより回転させられる駆動ローラと前記第２の筐体内に設けられたテンションローラとの間に懸架させたところの表面に印刷した図画を前記表示窓部を介して表示する表示シートと、少なくとも前記複数の押ボタンのうちいくつかのものに対するＯＮ操作によってさまざまな音声を発音させる回路基板とスピーカーとから成る音声発生手段と、前記第１及び又は第２の筐体に設けたランプを点灯させる点灯手段とを含むことを特徴とする、遊戯玩具。
【請求項２】
前記表示窓部にはさらにランプを点灯させることにより、該表示窓部に取り付けたマジックミラーを介して映像を表示させる映像表示手段を設けたことを特徴とする、請求項１に記載の遊戯玩具。
【請求項３】
前記第１の筐体には、上面に円盤を載置する構造のトレーを側部から出入可能にかつ一方向に摺動附勢させて設け、このトレーを操作ボタンと連動する係止レバーで係止・解離するように構成したことを特徴とする、請求項１乃至２のいずれかに記載の遊戯玩具。
【請求項４】
前記第１の筐体には、パソコンのマウスを模したスイッチ装置がコードを介して接続されており、このスイッチ装置に設けた押ボタンを押すと、前記音声発声手段及び又は点灯手段がＯＮされるように構成したことを特徴とする、請求項１乃至３のいずれかに記載の遊戯玩具。
【請求項５】
前記連結手段は、前記第１の筐体と第２の筐体の各端部を覆う連結部材と、この連結部材の両端部に前記第１の筐体と第２の筐体の各側端部を覆って設けられた一対の軸受部材と、この各軸受部材の内側に互いに噛合して回転可能に取り付けられた各一対の回転ギヤと、前記第１の筐体の両側部に設けられ前記軸受部材の軸受部に回転可能に軸支されつつ前記各一対の回転ギヤの一方のものと噛合して設けた一対の固定ギヤと、前記第２の筐体の両側部に設けられ前記軸受部材の軸受部に回転可能に軸支されつつ前記各一対の他方の回転ギヤの他方のものと噛合して設けた固定ギヤとで構成したことを特徴とする、請求項１乃至４のいずれかに記載の遊戯玩具。
【請求項６】
少なくとも操作ダイヤルを設けた第１の筐体と、表示窓部を設けた第２の筐体を互いに開閉可能に連結し、前記第１の筐体内部に設けた駆動ローラと前記第２の筐体内部に設けた従動ローラとの間にエンドレス状の表示シートを懸架させ、前記操作ダイヤルを回すことで前記表示窓部に次々と異なる図画を表示させる構成のものであって、前記表示シートを前記第１の筐体と第２の筐体の連結部分近くに押えローラを取り付けて前記表示シートを上面から押えるよう構成すると共に、前記連結手段を、前記第１の筐体と第２の筐体の各端部を覆う連結部材と、この連結部材の両端部に前記第１の筐体と第２の筐体の各側端部を覆って設けられた一対の軸受部材と、この各軸受部材の内側に互いに噛合して回転可能に取り付けられた各一対の回転ギヤと、前記第１の筐体の両側部に設けられ前記軸受部材の軸受部に回転可能に軸支されつつ前記各一対の回転ギヤの一方のものと噛合して設けた一対の固定ギヤと、前記第２の筐体の両側部に設けられ前記軸受部材の軸受部に回転可能に軸支されつつ前記各一対の他方の回転ギヤの他方のものと噛合して設けた固定ギヤとで構成したことを特徴とする、請求項１乃至４のいずれかに記載の遊戯玩具。
【考案の詳細な説明】
【技術分野】
【０００１】
この考案は、ノート型の小型パソコンの形態を模して成る遊戯玩具に関する。
【背景技術】
【０００２】
従来、離間設置した一対のローラ間に、複数の図形や絵等から成る図画を印刷させたエンドレス状の表示シートを懸架させ、ローラを回転させることによって、次々と図画を表示させるようにした遊戯玩具や、操作盤上に複数の押ボタンを設置し、この各押ボタンを押すことにより、異なるメロディーや言葉、動物の鳴声等の音声を発生させるようにした以下の公知文献に記載されたような遊戯玩具が公知である。
【０００３】
【特許文献１】実開平６−４８７９７号公開特許公報
【特許文献２】特開平１１−１９３４０号公開特許公報
【０００４】
近年パソコンは我々の生活にとって欠くことのできない生活及び仕事上の必需品となっており、幼児の時期から、パソコンに慣れるように仕向けることは極めて望ましいことになる。
【０００５】
また、最近は幼児の周りで大人達がパソコンを使用していることから、これを目撃する幼児達にとってもパソコンは興味の対象となっている。
【０００６】
しかし、これらの特許文献に記載されている各機能を小型のノート型パソコンを模した筐体に組み込んだものは見当たらない。
【考案の開示】
【考案が解決しようとする課題】
【０００７】
そこでこの考案の目的は、小型のノート型のパソコンの形態を模した玩具の操作部を操作することにより、複数の音声を発音させ、表示窓部の部分に複数の表示を行わせるようにして楽しみ、合わせて幼児のパソコンに対する好奇心を満足させたり、パソコンに興味を持たせることができるようにした遊戯玩具を提供せんとするにある。
【課題を解決するための手段】
【０００８】
上述した目的を達成するためにこの考案は、小型パソコンの形態を模した遊戯玩具であって、上面に操作ダイヤルと複数の押ボタンを少なくとも並設して成る第１の筐体と、同じく上面に表示窓部を設けて成る第２の筐体と、この第２の筐体と前記第１の筐体を開閉可能に連結する連結手段と、電源と、前記第１の筐体内に設けられ前記操作ダイヤルにより回転させられる駆動ローラと前記第２の筐体内に設けられたテンションローラとの間に懸架させたところの表面に印刷した図画を前記表示窓部を介して表示する表示シートと、少なくとも前記複数の押ボタンのうちいくつかのものに対するＯＮ操作によってさまざまな音声を発音させる回路基板とスピーカーとから成る音声発生手段と、前記第１の筐体及び又は第２の筐体に設けたランプを点灯させる点灯手段とを含むことを特徴とする。
【０００９】
その際にこの考案は、前記表示窓部に、ランプを点灯させることにより、該表示窓部に取り付けたマジックミラーを介して映像を表示させる映像表示手段を設けたことを特徴とする。
【００１０】
この考案はまた、前記第１の筐体には、上面に円盤を載置する構造のトレーと側部から出入可能にかつ一方向に摺動附勢させて設け、このトレーを操作ボタンと連動する係止レバーで係止・解離するように構成したことを特徴とする。
【００１１】
この考案はさらに、前記第１の筐体に、パソコンのマウスを模したスイッチ装置がコードを介して接続されており、このスイッチ装置に設けた押ボタンを押すと、音声発音手段及び又は点灯手段がＯＮされるように構成したことを特徴とする。
【００１２】
この考案はさらに、前記連結手段を、前記第１の筐体と第２の筐体の各端部を覆う連結部材と、この連結部材の両端部に前記第１の筐体と第２の筐体の各側端部を覆って設けられた一対の軸受部材と、この各軸受部材の内側に互いに噛合して回転可能に取り付けられた各一対の回転ギヤと、前記第１の筐体の両側部に設けられ前記軸受部材の軸受部に回転可能に軸支されつつ前記各一対の回転ギヤの一方のものと噛合して設けた一対の固定ギヤと、前記第２の筐体の両側部に設けられ前記軸受部材の軸受部に回転可能に軸支されつつ前記各一対の他方の回転ギヤの他方のものと噛合して設けた固定ギヤとで構成したことを特徴とする。
【００１３】
そして、この考案は、少なくとも操作ダイヤルを設けた第１の筐体と、表示窓部を設けた第２の筐体を互いに開閉可能に連結し、前記第１の筐体内部に設けた駆動ローラと前記第２の筐体内部に設けた従動ローラとの間にエンドレス状の表示シートを懸架させ、前記操作ダイヤルを回すことで前記表示窓部に次々と異なる図画を表示させる構成のものであって、前記表示シートを前記第１の筐体と第２の筐体の連結部分近くに押えローラを取り付けて前記表示シートを上面から押えるよう構成すると共に、前記連結手段を、前記第１の筐体と第２の筐体の各端部を覆う連結部材と、この連結部材の両端部に前記第１の筐体と第２の筐体の各側端部を覆って設けられた一対の軸受部材と、この各軸受部材の内側に互いに噛合して回転可能に取り付けられた各一対の回転ギヤと、前記第１の筐体の両側部に設けられ前記軸受部材の軸受部に回転可能に軸支されつつ前記各一対の回転ギヤの一方のものと噛合して設けた一対の固定ギヤと、前記第２の筐体の両側部に設けられ前記軸受部材の軸受部に回転可能に軸支されつつ前記各一対の他方の回転ギヤの他方のものと噛合して設けた固定ギヤとで構成したことを特徴とする。
【考案の効果】
【００１４】
この考案によれば、第１の筐体と第２の筐体を開いて、パソコンのキーボード部を操作するようにして第１の筐体に設けた操作部の押ボタンやダイヤル及び操作スイッチを操作すると、さまざまな音声をスピーカーを介して楽しむことができたり、第２の筐体に設けた表示窓部にパソコンのディスプレイ装置のように次々と異なった図画や映像が表示されること、また、パソコンのマウスを模したスイッチ装置を操作することによって、音声を発声させたり、ランプを点灯させたり、映像が映像表示手段に表示されること、さらに第１の筐体に設けた操作スイッチを操作することにより、実際のパソコンのようにＣＤを模した円盤を載置したトレーが飛び出すこと、等により幼児が楽しみ、かつパソコンに対する好奇心を満足させ、パソコンに興味を覚えさせることができるものである。
【考案を実施するための最良の形態】
【００１５】
以下にこの考案の一実施例を図面に基づいて詳細に説明する。
【実施例１】
【００１６】
指示記号１で示したものは、上部カバー１ａと下部カバー１ｂから成り、上部カバー１ａの上面にパソコンのキーボードを模した操作部２を設けた第１の筐体である。操作部２は複数の押ボタン３ａ〜３ｊと、後述するディスクを飛び出させる操作ボタン４と、ダイヤル５とで構成されている。指示記号６のものは、例えばキャラクター人形のような飾りである。尚、操作部２の構成はこれらのものに限定されない。
【００１７】
指示記号７で示したものは、同じく上部カバー７ａと下部カバー７ｂとから成り、前面のパソコンのディスプレイ手段を模した表示窓部８を設けた第２の筐体である。この第２の筐体７と第１の筐体１とは、互いの端部を連結手段９によって互いに開閉可能に連結されている。
【００１８】
指示記号１０で示したものは、第１の筐体１を第２の筐体７へ係止する係止爪であり、第１の筐体１の上部カバー１ａの中央部前端に設けた係止部１１へ着脱可能に係止させる構成である。この係止部１１には、とくに図３と図４に示したように、スイッチ１２が取り付けられ、このスイッチ１２は係止爪１０と係止部１１が係合した時にＯＦＦされ、解離した時にＯＮとなる構成である。
【００１９】
上部カバー１ａに取り付けた各押ボタン３ａ〜３ｊの下側には、図５に示したような音声発生回路基板１３が取り付けられており、この音声発生回路基板１３上には、各押ボタン３ａ〜３ｊに対応した位置にスイッチパターン１４ａ〜１４ｊが印刷されている。各押ボタン３ａ〜３ｊには、とくに図６に示したように、そのうちの一つの押ボタン３ａだけを例にとって詳しく説明するが、図６に示したように押ボタン３ａには、ゴム製の円錐形状を呈した弾性筒体１５と、この弾性筒体１５内に位置して取り付けられた導電性ゴムから成る導電部材１６が取り付けられており、押ボタン３ａを押すと、導電部材１６がスイッチパターン１４ａに接触して、押ボタン３ａに対応して用意された音声発声回路１７を動作させるものである。この押ボタン３ａとスイッチパターン１４ａの組み合わせ構成は、他の押ボタン３ｂ〜３ｊとスイッチパターン１４ｂ〜１４ｊの場合でも同じであるので、説明を省略する。この音声発声回路１７は、音楽、人声、動物の鳴声等のさまざまな音声を発生させるものが用意されており、各押ボタン３ａ〜３ｊが押されると、図７に示したように、下部カバー１ｂに取り付けたスピーカー１８よりさまざまな音声を発音させるものである。
【００２０】
第１の筐体１の右側部には、とくに図７から図１０に示したように、トレー１９が引張コイルスプリング２０によって一方向へ摺動附勢されて出没可能に取り付けられており、トレー１９にはＣＤを模した円盤２１が着脱可能に載置されている。このトレー１９は図９に示したようにコンプレッションスプリング４ｃによって上方向へ附勢されている操作ボタン４と重なり合っていることによって連動する係止レバー４ａの先端部に係止される係止部１９ａを有しており、トレー１９を第１の筐体１内へ挿入させた時に係止レバー４ａで係止され、操作ボタン４を押すと、共に降下する係止レバー４ａの先端部との係止が解かれ、外部へ飛び出すように構成されている。外部へ飛び出したトレー１９はこれを手で押して挿入させると、係止部１９ａが係止レバー４ａに再び係止される構成である。
【００２１】
係止レバー４ａの隣には、スイッチ２２が設けられ、とくに図９に示したように操作ボタン４に設けた押圧レバー４ｂで操作ボタン４の押圧時にＯＮされる構成となっている。
【００２２】
第１の筐体１には、コード２３ａを介してパソコンのマウスを模したスイッチ装置２３が設けられており、このスイッチ装置２３のスイッチ押圧板２３ｂ，２３ｃを押すと、点灯ランプが点灯したり、スピーカー１８から音声を発音させる構成となっている。
【００２３】
下部カバー１ｂには、さらに電池を内部に収容させた電池収容ボックス２５が設けられている。指示記号２６のものは、電池収容ボックス２５の蓋である。とくに図７に示したように、ダイヤル５には、駆動ギア２７がシャフト５ａに対し同軸に取り付けられており、この駆動ギヤ２７に噛合して第１従動ギヤ２８が設けられ、この第１従動ギヤ２８は、エンドレス状の表示シート２９を懸架させた駆動ローラ３０の回転シャフト３１の一端部に取り付けられており、表示シート２９には、表面に絵や図形、文字等の図画３２を印刷してある。回転シャフト３１の他端部には、第２従動ギヤ３３が取り付けられ、この第２従動ギヤ３３と噛合して第３従動ギヤ３４が設けられている。この第３従動ギヤ３４は、回転シャフト３５に取り付けられると共に、この回転シャフト３５には、ゴム製の押圧ローラ３６が共に回転するように取り付けられており、この押圧ローラ３６は、駆動ローラ３０に表示シート２９を介して圧接している。
【００２４】
したがって、駆動ギヤ２７から押圧ローラ３６に至る各ギヤは、駆動力伝達手段Ａを構成するが、この駆動力伝達手段Ａは、図示のものに限定されない。
【００２５】
さらに、回転シャフト３５には、偏芯カム３７が取り付けられ、この偏芯カム３７の近くには、該カム３７によってＯＮされるスイッチ３８が取り付けられている。
【００２６】
表示シート２９は、第１の筐体１と第２の筐体７の各連結端部に設けたスリット１ｃ，７ｃを介して、第１の筐体から第２の筐体７内へ表示窓部８の下側を通って伸び、第２の筐体７に取り付けた従動ローラ３９に懸架されている。この従動ローラ３９は所謂テンションローラであって、一対のコンプレッションスプリング４０，４０により一方向へ移動附勢されており、常に表示シート２９にテンションを与えている。尚、コンプレッションスプリング４０，４０は、これをトーションスプリングに代えても良い。
【００２７】
さらに、第１の筐体１と第２の筐体７には、調節ローラ４１，４２が設けられており、第１の筐体１と第２の筐体７を開閉した際に、表示シート２９に過剰なテンションが掛からないようになっている。
【００２８】
表示窓部８には、透明のガラス、或は合成樹脂製の透明板４３が嵌め込まれており、この透明板４３を介して、表示シート２９に記載された図画３２を見ることができる。表示窓部８には、この実施例のものは略中央で仕切られ、一方を上記した表示シート２９のロール画面４４ａとして使用し、他方をミラー画面４４ｂとして使用している。このミラー画面４４ｂは、透明板４３に重ね合わされたマジックミラー４５と、このマジックミラー４５に透明板４３を介して当接している透光性表示シート４８と、この表示シート４８を透明板４３との間に挟んで上部カバー７ａに取り付けた凹面鏡４６と、この凹面鏡４６の底部に設置したＬＥＤランプのような光源４７とから構成され、透光性表示シート４８には、キャラクター人形その他の図形４８ａが記載されている。
【００２９】
尚、表示窓部８は全部を表示シート２９のロール画面として使用しても良い。
【００３０】
表示シート２９と対向する透明板４３の適宜位置には、矢印４３ａが刻設されており、この矢印４３ａは、透明板４３の端部に位置して上部カバー１ａに取り付けたＬＥＤランプのような光源４９から該透明板４３内を透過して来た光を反射して使用時に表面から見た場合に光るように構成されている。
【００３１】
第１の筐体１と第２の筐体７の連結手段９は、第１の筐体１と第２の筐体７の各下部カバー１ｂ，７ｂの各端部に形成した湾曲部１ｄ，７ｄを収容させる凹部５０ａを有するボート形の連結部材５０と、前記各湾曲部１ｄ，７ｄの両側端部に形成した壁部１ｅ，１ｅ・７ｅ，７ｅに設けた軸支部１ｆ，１ｆ，７ｆ，７ｆへ回転可能に軸受けされる軸受孔５１ａ，５１ａ・５１ａを有し、該連結部材５０の両端部に嵌着させた軸受部材５１，５１と、前記各軸支部１ｆ，１ｆ・７ｆ，７ｆと一体に形成させた固定ギヤ１ｇ，１ｇ・７ｇ，７ｇと、軸受部材５１，５１に回転可能に軸支され、各固定ギヤ１ｇ，１ｇ・７ｇ，７ｇと噛合しつつ、自ら同士も噛合している一対ずつの従動ギヤ５２，５２・５２，５２とから構成されている。指示記号５３，５３のものは、軸支部１ｆ，１ｆ・７ｆ，７ｆを軸受部材５１，５１に対し抜け止めするビスである。
【００３２】
したがって、第２の筐体７を第１の筐体１に対して開成方向へ開くと、係止爪１０の係止部１１に対する係合が外れて第１の筐体１と第２の筐体７は開かれ、同時にスイッチ１２がＯＮされて、「ピロリピロリ」とスピーカー１８より音声が発せられ、透明板４３の光源４７と４９とが点滅してミラー画面４４ｂの図形４８aと矢印４３ａを点滅せしめる。そして、第２の筐体７を開くと、固定ギヤ７ｇ，７ｇを介して従動ギヤ５２，５２が回転し、第１の筐体１側の固定ギヤ１ｇ，１ｇが同一角度回転することから、第１の筐体１と第２の筐体７は、同一角度開かれることになる。さらに、第１の筐体１と第２の筐体７の後端部を覆う連結部材５０により、第１の筐体１と第２の筐体７の開閉動作時、及び閉成時に該第１の筐体１と第２の筐体７の後端部と表示シート２９が外部に露出することがない。
【００３３】
次に、各押ボタン３ａ〜３ｊを適宜に押すと、例えば押ボタン３ａ，３ｄ，３ｇ，及び３ｊを押すと、スピーカー１８より「ピッ」という音が発せられ、矢印４３aが点滅する。次に、押ボタン３ｈを押すと、「喋喋」の曲が鳴り、矢印４３aとミラー画面４４ｂが点滅する。さらに、押ボタン３iを押すと、「きらきら星」の曲がスピーカー１８より鳴り、矢印４３aとミラー画面４４ｂが点滅する。さらに、押ボタン３ｂと３ｅを押すと、「森の熊さん」と「メリーさんの羊」曲が鳴り、矢印４３aとミラー画面４４ｂが点滅する。したがって、遊戯者は各押ボタン３ａ〜３ｊを押してさまざまな音楽や音を聞いて楽しむと共に、矢印４３aとミラー画面４４ｂの点滅や点灯を見て楽しむことができる。
【００３４】
次に、遊戯者が操作ボタン４を押すと、係止レバー４ａによる係止を解かれたトレー１９が引張コイルスプリング２０の牽引力により第１の筐体１の右側部より外方向へ飛び出すので、該トレー１９上の円盤２１を取り外して再装着した上で、トレー１９を押すと、該トレー１９は内部へ引込み、係止部１９ａが係止レバー４ａによって係止させられる。操作ボタン４を押すと、同時に押圧レバー４ｂによりスイッチ２２がＯＮされスピーカー１８より「ドレミフャソラシド」の音声が発音され、矢印４３aが点滅する。
【００３５】
次に、遊戯者がパソコンのマウスを模したスイッチ装置２３のスイッチ押圧板２３ｂ，２３ｃを押すと、その都度スピーカー１８から異なる曲が一局ずつ繰り返し流れ、同時に矢印４３aとミラー画面４４ｂが点滅或は点灯する。
【００３６】
次に、押ボタン３ｃを押すと、スピーカー１８より「メールを送るよ」という声がして矢印４３aが点滅し、同時にミラー画面４４ｂが点灯する。さらに、押ボタン３ｆ押すと、スピーカー１８より「メールが来ているよ」という声がはせられ、同時にミラー画面４４ｂが点灯する。
【００３７】
次に、遊戯者が指でダイヤル５を回すと、上述した駆動力伝達手段Ａを介して表示シート２９が移動し、その表面に印刷した図画３２が次々と表示窓部８のロール画面４４ａに表れ、この図画３２を透明板４３を介して見て楽しむことができる。また、ダイヤル５を回すことにより、「ピポパ」とスピーカー１８が音声を鳴らし回転シャフト３５に取り付けた偏芯カム３７が回転して、スイッチ３８をＯＮさせてミラー画面４４ｂを点灯させるものである。
【００３８】
このようにして、遊戯者はパソコンを操作するようにして、自然にパソコンの操作を覚え、かつパソコンに対する興味を満足させ、かつ音や光や画像を楽しむことができるが、上記の楽しみ方は一例であって、そのものに限定されるものではなく、さらにさまざまな組み合わせや、楽しみ方がある。
【産業上の利用可能性】
【００３９】
この考案は、小型パソコンを操作するのと類似したボタン操作やマウス操作によって、さまざまな音や図画、映像を楽しむことができるので、パソコンに興味を持ち始めた幼い子供達にとって、恰好のおもちゃとなるものである。
【図面の簡単な説明】
【００４０】
【図１】この考案に係る遊戯玩具の斜視図である。
【図２】この考案に係る遊戯玩具を開いて見た一部分解斜視図である。
【図３】この考案に係る遊戯玩具を１８０°開いて見た一部分解平面図である。
【図４】この考案に係る遊戯玩具を裏側から見た一部欠載の斜視図である。
【図５】音声発声回路を搭載した回路基板の平面図である。
【図６】押ボタンスイッチの部分の断面図である。
【図７】第１の筐体と第２の筐体を１８０°開いた上体で上部カバーを取り去って見た平面図である。
【図８】トレーの押出し機構の構成を説明するために一方の方向から見た斜視図である。
【図９】トレーの押出し機構の構成を説明するために他方の側から見た斜視図である。
【図１０】表示シートの駆動機構を説明する側断面図である。
【図１１】ミラー画面の分解斜視図である。
【図１２】第１の筐体と第２の筐体の連結手段の部分の断面図である。
【符号の説明】
【００４１】
Ａ  駆動力伝達手段
１  第１の筐体
１ａ  上部カバー
１ｂ  下部カバー
１ｃ  スリット
１ｄ  湾曲部
１ｅ  壁部
１ｆ  軸支部
１ｇ  固定ギヤ
２  操作部
３ａ，３ｂ，３ｃ，３ｄ，３ｅ，３ｆ，３ｇ，３ｈ，３ｉ，３ｊ  押ボタン
４  操作ボタン
４ａ  係止レバー
４ｂ  押圧レバー
４ｃ  コンプレッションスプリング
４ｄ  押圧部
５  ダイヤル
５ａ  シャフト
６  飾り
７  第２の筐体
７ａ  上部カバー
７ｂ  下部カバー
７ｃ  スリット
７ｄ  湾曲部
７ｅ  壁部
７ｆ  軸支部
７ｇ  固定ギヤ
８  表示窓部
９  連結手段
１０  係止爪
１１  係止部
１２  スイッチ
１３  音声発声回路基板
１４ａ，１４ｂ，１４ｃ，１４ｄ，１４ｅ，１４ｆ，１４ｇ，１４ｈ，１４ｉ，１４ｊ  スイッチパターン
１５  弾性筒体
１６  導電部材
１７  音声発声回路
１８  スピーカー
１９  トレー
１９ａ  係止部
２０  引張コイルスプリング
２１  円盤
２２  スイッチ
２３  スイッチ装置
２３ａ  コード
２３ｂ  スイッチ押圧板
２３ｃ  スイッチ押圧板
２４  電池
２５  電池収容ボックス
２６  蓋
２７  駆動ギヤ
２８  第１駆動ギヤ
２８  第２駆動ギヤ
２９  表示シート
３０  駆動ローラ
３１  回転シャフト
３２  図画
３３  第２駆動ギヤ
３４  第３従動ギヤ
３５  回転シャフト
３６  押圧ローラ
３７  偏芯カム
３８  スイッチ
３９  従動ローラ
４０  コンプレッションスプリング
４１  調節ローラ
４２  調節ローラ
４３  透明板
４３ａ  矢印
４４  ミラー画面
４４ａ  ロール画面
４４ｂ  ミラー画面
４５  マジックミラー
４６  凹面鏡
４７  光源
４８  透光性表示シート
４８ａ  図画
４９  光源
５０  連結部材
５０ａ  凹部
５１  軸受部材
５１ａ  軸受孔
５２  従動ギヤ
５３  ビス
【図１】
0003102354.tif 000003
【図２】
0003102354.tif 000004
【図３】
0003102354.tif 000005
【図４】
0003102354.tif 000006
【図５】
0003102354.tif 000007
【図６】
0003102354.tif 000008
【図７】
0003102354.tif 000009
【図８】
0003102354.tif 000010
【図９】
0003102354.tif 000011
【図１０】
0003102354.tif 000012
【図１１】
0003102354.tif 000013
【図１２】
0003102354.tif 000014